(57)【要約】【課題】  適正かつ容易に架空線用ダンパを架空線に取り付けることを可能にする。【解決手段】  一端側に設けられダンパ１００の錘１０３、１０４を支持する支持アーム３と、他端側に設けられ自重によって下方にモーメントを与える伸縮バー２と、電線２００に回動自在に支持される支点部材４とを備え、伸縮バー２によるモーメントによって、支点部材４を支点として支持アーム３が上方に回動して、錘１０３を所定の位置に持ち上げる。【選択図】  図１
2010200389.tif 000002
【特許請求の範囲】
【請求項１】
架空線にねじりモーメントを与える錘部を備えた架空線用ダンパを架空線に取り付けるための架空線用ダンパの取付工具であって、
一端側に設けられ前記錘部を支持する支持手段と、
他端側に設けられ自重によって下方にモーメントを与えるモーメント付与手段と、
前記架空線に回動自在に支持される支点手段と、を備え、
前記モーメント付与手段によるモーメントによって、前記支点手段を支点として前記支持手段が上方に回動して、前記錘部を所定の位置に持ち上げる、ことを特徴とする架空線用ダンパの取付工具。
【請求項２】
前記モーメント付与手段によるモーメント量が調整自在となっている、ことを特徴とする請求項１に記載の架空線用ダンパの取付工具。
【発明の詳細な説明】
【技術分野】
【０００１】
この発明は、架空送電線や架空地線などの架空線の振動を抑制する架空線用ダンパを、架空線に取り付けるための架空線用ダンパの取付工具に関する。
【背景技術】
【０００２】
例えば、特別高圧架空電線路の電線には、風などによる振動を抑制するための架空線用ダンパが取り付けられている（例えば、特許文献１参照。）。このダンパは、電線を把持する把持部と、この把持部に支持されて電線と同方向に延びる撚り線と、この撚り線の両端に取り付けられた錘とを備えている。そして、ダンパの自重によって電線にねじりモーメントが生じるように取り付けることで、振動の抑止効果が適正に発揮されるものである。このため、錘が自重によって垂れ下がらないように、錘を例えば水平に位置させた状態で、把持部を電線に固定する必要がある。
【先行技術文献】
【特許文献】
【０００３】
【特許文献１】特開２００１−３０９５３４号公報
【発明の概要】
【発明が解決しようとする課題】
【０００４】
ところで、上記のような架空線用ダンパを特別高圧架空電線路の電線に取り付ける場合、作業者は鉄塔から碍子連の簡易足場を伝わって、電線に宙乗りになった状態で作業を行う。しかも、４〜９ｋｇ程度もある錘を、例えば水平に持ち上げた状態で把持部を電線に固定する必要がある。つまり、厳しい作業環境下で、バランスを保ちながら一方の手で錘を持ち上げ、他方の手で把持部を固定しなければならず、取り付けには高度な熟練を要していた。このため、例えば高度な熟練を有さない作業者が取付作業を行うと、錘を水平に位置させない状態でダンパを取り付けてしまい、電線にねじりモーメントが生じない取付不良が発生するおそれがあった。しかも、このような取付不良が生じても、地上からでは確認することができず、不良を解消することが困難である。また、このような取付不良を防止するために、籠を備えた宙乗り器を電線に設置することも可能であるが、宙乗り器は大きく重量物であり、山地での運搬や鉄塔への吊り上げに多大な労力と時間とを要し、ダンパの取り付けだけのために使用するのは実用的ではない。
【０００５】
そこでこの発明は、適正かつ容易に架空線用ダンパを架空線に取り付けることを可能にする架空線用ダンパの取付工具を提供することを目的とする。
【課題を解決するための手段】
【０００６】
上記目的を達成するために請求項１に記載の発明は、架空線にねじりモーメントを与える錘部を備えた架空線用ダンパを架空線に取り付けるための架空線用ダンパの取付工具であって、一端側に設けられ前記錘部を支持する支持手段と、他端側に設けられ自重によって下方にモーメントを与えるモーメント付与手段と、前記架空線に回動自在に支持される支点手段と、を備え、前記モーメント付与手段によるモーメントによって、前記支点手段を支点として前記支持手段が上方に回動して、前記錘部を所定の位置に持ち上げる、ことを特徴とする。
【０００７】
この発明によれば、支点手段を架空線で支持し、架空線用ダンパの錘部を支持手段で支持すると、モーメント付与手段によるモーメントによって、支点手段を支点として支持手段が上方に回動して、錘部が所定の位置まで持ち上がる。そして、この状態で、架空線用ダンパを架空線に取り付ける。
【０００８】
請求項２に記載の発明は、請求項１に記載の架空線用ダンパの取付工具において、前記モーメント付与手段によるモーメント量が調整自在となっている、ことを特徴とする。
【発明の効果】
【０００９】
請求項１に記載の発明によれば、モーメント付与手段のモーメントによって錘部が所定の位置まで持ち上がるため、作業者が錘部を手で持ち上げる必要がなくなり、厳しい作業環境下においても、容易かつ安定して架空線用ダンパを取り付けることが可能となる。しかも、誰が行っても、常に錘部が所定の位置まで持ち上がり、この状態で、架空線用ダンパを架空線に取り付けることで、常に適正に架空線用ダンパを取り付けることが可能となる。
【００１０】
請求項２に記載の発明によれば、モーメント付与手段によるモーメント量が調整自在なため、架空線用ダンパの錘部の重量や位置などに応じてモーメント量を調整することで、ひとつの取付工具で多様な架空線用ダンパに適用することが可能となる。
【図面の簡単な説明】
【００１１】
【図１】この発明の実施の形態に係る架空線用ダンパの取付工具を示す正面図である。
【図２】図１の取付工具の平面図である。
【図３】図１の取付工具の右側面図である。
【図４】図１の取付工具で取り付ける架空線用ダンパの正面図（ａ）とその左側面図（ｂ）である。
【図５】図４の架空線用ダンパを電線に仮固定した状態を示す正面図である。
【図６】図１の取付工具の支持アームを伸縮バー側に重ねた状態を示す正面図である。
【図７】図１の取付工具を用いて架空線用ダンパを取り付ける状態を示す正面図である。
【図８】図７の平面図である。
【発明を実施するための形態】
【００１２】
以下、この発明を図示の実施の形態に基づいて説明する。
【００１３】
図１〜３はそれぞれ、この発明の実施の形態に係る架空線用ダンパの取付工具１を示す正面図、平面図および右側面図である。この架空線用ダンパの取付工具１は、電線（架空線）２００の振動を抑制する架空線用ダンパ１００を電線２００に取り付けるための補助工具である。
【００１４】
ここで、図４に示すように、架空線用ダンパ１００は、電線２００にねじりモーメントを与える錘（錘部）１０３、１０４を備えている。すなわち、この実施の形態では、電線２００を把持する把持体１０１と、この把持部１０１に支持されて電線２００と同方向に延びる撚り線１０２と、この撚り線１０２の両端に取り付けられたブロック状（卵状）の錘１０３、１０４とを備えている。また、把持体１０１は、第１の把持部１０１ａと第２の把持部１０１ｂとによって電線２００を挟持した状態で、把持ボルト１０１ｃを締め付けることで、電線２００を把持するようになっている。そして、把持ボルト１０１ｃを締め付けず、外力を与えない状態では、図５に示すように、自重によって一方の錘１０３が垂れ下がり、この状態で把持ボルト１０１ｃを締め付けても、電線２００にはねじりモーメントが加わらない。これに対して、図４（ａ）に示すように、一方の錘１０３を適正な位置まで持ち上げた状態、例えば両方の錘１０３、１０４が水平に並ぶ状態で把持ボルト１０１ｃを締め付けると、架空線用ダンパ１００（一方の錘１０３）の自重によって電線２００に矢印Ｄ１方向のねじりモーメントが生じ、振動の抑止効果が適正に発揮されるものである。
【００１５】
架空線用ダンパの取付工具１は、全体が略棒状で、主として、一端側に位置する支持アーム（支持手段）３と、他端側に位置する伸縮バー（モーメント付与手段）２と、中間部に位置する支点部材（支点手段）４とを備えている。
【００１６】
伸縮バー２は、自重によって下方にモーメントを与えるもので、鋼などの重い材料で構成されている。また、自重によるモーメントの大きさ（モーメント量）が調整自在となっている。すなわち、４つの連結バー２１〜２４から構成され、少なくとも第１の連結バー２１〜第３の連結バー２３が円筒状で、第４の連結バー２４が第３の連結バー２３内に挿入可能で、第３の連結バー２３が第２の連結バー２２内に挿入可能で、第２の連結バー２２が第１の連結バー２１内に挿入可能となっている。そして、第２の連結バー２２〜第４の連結バー２４の突出量を調整することで、伸縮バー２の重心の位置が変わり、モーメントの大きさが変化するようになっている。
【００１７】
さらに、架空線用ダンパ１００の種類に適合したモーメントの大きさに、容易に調整できるようになっている。すなわち、架空線用ダンパ１００の種類に応じて、後述するようにして架空線用ダンパ１００を所定の位置（角度）まで持ち上げるのに要するモーメントが得られるようになっている。具体的には、この実施の形態では、３種類の架空線用ダンパ１００に対応可能で、最も大きいモーメントを要する架空線用ダンパ１００の場合には、すべての連結バー２１〜２４を延ばしきり、次に大きいモーメントを要する架空線用ダンパ１００の場合には、第４の連結バー２４のみを第３の連結バー２３内に挿入し、最も小さいモーメントを要する架空線用ダンパ１００の場合には、さらに第３の連結バー２３を第２の連結バー２２内に挿入することで、必要なモーメントが得られるようになっている。
【００１８】
また、各連結バー２１〜２４の側面には、長手方向に沿って目盛が刻印され、後述するようにして伸縮バー２をスケールとして使用できるようになっている。
【００１９】
このような伸縮バー２の第１の連結バー２１の先端に、角柱状の連結ブロック５が、その長手方向が伸縮バー２の軸線と直交するように取り付けられている。そして、この連結ブロック５の両側面から、それぞれ前方（先方）に延びるように支持アーム３が配設されている。
【００２０】
支持アーム３は、架空線用ダンパ１００の撚り線１０２を支持することで、その両端の錘１０３、１０４を支持するアームであり、連結ブロック５から略水平に延びる水平部３ａと、この水平部３ａから斜め下方にカーブを描くように延びるフック部３ｂとを備えている。そして、後述するようにしてフック部３ｂを撚り線１０２の下側に位置させて、伸縮バー２によるモーメントを加えることで、フック部３ｂによって撚り線１０２および前記一方の錘１０３が所定の位置（角度）まで持ち上がるように、形成されている。さらに、この実施の形態では、支持アーム３が溝付ワッシャを介して連結ブロック５の側面に取り付けられ、無段階で支持アーム３の取付角度が調整可能となっている。これにより、架空線用ダンパ１００の種類に応じて、一方の錘１０３を所定の（適正な）位置まで持ち上げられるようになっている。また、支持アーム３を上方から伸縮バー２側に回動させることで、図６に示すように、支持アーム３が伸縮バー２に重なるように位置し、取付工具１全体がコンパクトになるようになっている。
【００２１】
このような各支持アーム３の連結ブロック５側に、支点部材４が固定されている。この支点部材４は、断面が略円弧状で、内円側を電線２００の上に載せることで、電線２００に回動自在に支持される。そして、この支点部材４を支点として、伸縮バー２側および支持アーム３側が回動する（シーソー状に揺動する）ようになっている。具体的には、後述するように、伸縮バー２が自重によって支点部材４を支点として下方に回動すると、支持アーム３が支点部材４を支点として上方に回動し、錘１０３、１０４が所定の位置まで持ち上がるような位置に、支点部材４が配設されている。
【００２２】
この支点部材４の下方を覆うように、網状の落下防止ネット６が支持アーム３に取り付けられている。この落下防止ネット６は、端部が支持アーム３に固定され、図１に示すように、架空線用ダンパ１００の把持ボルト１０１ｃの下方に位置し、把持ボルト１０１ｃをトルクレンチなどで締め付ける際に、トルクレンチなどが落下するのを防止するようになっている。
【００２３】
次に、このような構成の架空線用ダンパの取付工具１の作用および、この取付工具１を用いての架空線用ダンパ１００の取付方法について説明する。ここで、架空線用ダンパ１００を特別高圧架空電線路の電線２００に取り付けるものとし、電線２００は、図７、８に示すように、鉄塔３００間に架設されているとする。
【００２４】
まず、架空線用ダンパ１００の種類に合わせて取付工具１の支持アーム３の取付角度を調整して、支持アーム３を連結ブロック５（伸縮バー２）に固定する。そして、この取付工具１を所持した作業者Ｍが鉄塔３００を登り、簡易足場３０１を伝わって電線２００上に乗り、電線２００の所定の位置に架空線用ダンパ１００を仮固定する。このとき、例えば、取付工具１の伸縮バー２の自由端（第４の連結バー２４の端）をクランプ３０２に位置させ、伸縮バー２に刻印されている目盛を読み取って架空線用ダンパ１００を所定の位置に仮固定する。この仮固定状態では、把持ボルト１０１ｃが締め付けられておらず、図５に示すように、自重によって撚り線１０２および一方の錘１０３が垂れ下がった状態となっている。
【００２５】
次に、架空線用ダンパ１００の種類に合わせて、上記のように取付工具１の連結バー２１〜２４の長さを調整し、図１に示すように、取付工具１のフック部３ｂを撚り線１０２の下側に位置させ、支点部材４の内円側を電線２００の上に載せる。これにより、支点部材４を支点として、伸縮バー２側に矢印Ｄ２方向（下方）のモーメントがかかり、支持アーム３側に矢印Ｄ３方向（上方）のモーメントが作用する。そして、支持アーム３の回動に伴って、撚り線１０２および一方の錘１０３が所定の位置まで持ち上がる。
【００２６】
この状態で、トルクレンチなどを使用して把持ボルト１０１ｃを締め付け、架空線用ダンパ１００を電線２００に取り付ける（固定する）。このような取付作業をすべての架空線用ダンパ１００に対して順次行うものである。
【００２７】
以上のように、この架空線用ダンパの取付工具１によれば、伸縮バー２によるモーメントによって撚り線１０２と一方の錘１０３が所定の位置まで持ち上がるため、作業者Ｍが錘１０３を手で持ち上げる必要がなくなる。つまり、一方の手で電線２００を持った状態で、他方の手で把持ボルト１０１ｃを締め付けることができ、高所で厳しい作業環境下においても、容易かつ安定して架空線用ダンパ１００を取り付けることが可能となる。しかも、誰が行っても、常に錘１０３が所定の位置まで持ち上がり、この状態で、把持ボルト１０１ｃを締め付けることで、常に適正に架空線用ダンパ１００を取り付けることが可能となる。このように、熟練を有さなくても、適正かつ容易に架空線用ダンパ１００を取り付けることが可能となる。
【００２８】
さらに、伸縮バー２によるモーメント量が調整自在なため、架空線用ダンパ１００の種類に応じてモーメント量を調整することで、ひとつの取付工具１で多様な架空線用ダンパ１００に適用することが可能となる。また、伸縮バー２がスケールとして機能するため、所定の位置に正確に架空線用ダンパ１００を取り付けることができる。
【００２９】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、第２の連結バー２２〜第４の連結バー２４を伸縮させることで、伸縮バー２によるモーメント量を調整しているが、棒体に錘体をスライド自在に配設し、錘体の位置を移動することでモーメント量を調整するようにしてもよい。また、架空線用ダンパ１００の錘１０３、１０４がブロック状の場合について説明しているが、錘部が鋼撚線で構成される架空線用ダンパ（例えば、特開２００２−１３５９５５号公報に記載のダンパ）などにも適用できることは勿論である。
【符号の説明】
【００３０】
１        架空線用ダンパの取付工具
２        伸縮バー（モーメント付与手段）
２１〜２４  連結バー
３        支持アーム（支持手段）
４        支点部材（支点手段）
５        連結ブロック
６        落下防止ネット
１００    架空線用ダンパ
１０１    把持部
１０３、１０４  錘（錘部）
２００    電線（架空線）
【図１】
2010200389.tif 000003
【図２】
2010200389.tif 000004
【図３】
2010200389.tif 000005
【図４】
2010200389.tif 000006
【図５】
2010200389.tif 000007
【図６】
2010200389.tif 000008
【図７】
2010200389.tif 000009
【図８】
2010200389.tif 000010